(57)【要約】【課題】ヒートパイプによる冷却効率を増大させることができ、記録媒体を十分に冷却することができる冷却装置および画像形成装置を提供すること。【解決手段】ダクト２４内に２つの吸気口４１ａ、４２ａおよび排気口４３ａ、４４ａを設けてダクト２４内を２つの吸気通路４１、４２および排気通路４３、４４に分割する。また、仕切板４５を放熱フィン３３の回転と同方向あるいは逆方向に傾斜させたり、仕切板４６を放熱フィン３３の回転中心軸に対して回転方向側に位置させたりすること等により吸入空気の流れを放熱フィン３３に指向させる。【選択図】図７
2007041541.tif 000002
【特許請求の範囲】
【請求項１】
放熱フィンを冷却するようにした冷却装置であって、
定着手段によって画像が定着された記録媒体を回転しながら冷却するヒートパイプと、前記ヒートパイプの外周部に固定され、前記ヒートパイプと略交差する方向に設置された前記放熱フィンと、前記放熱フィンを収納し、吸気口から前記放熱フィン側に空気を導入する吸気通路および前記放熱フィンからの空気を排気口に排気する排気通路を有するダクトとを有し、
前記ダクトは、前記吸気口および前記排気口がそれぞれ２つ設けられ、前記吸気通路および前記排気通路のそれぞれが２つ設けられたことを特徴とする冷却装置。
【請求項２】
放熱フィンを冷却するようにした冷却装置であって、
定着手段によって画像が定着された記録媒体を回転しながら冷却するヒートパイプと、前記ヒートパイプの外周部に固定され、前記ヒートパイプと略交差する方向に設置された前記放熱フィンと、前記放熱フィンを収納し、吸気口から前記放熱フィン側に空気を導入する吸気通路および前記放熱フィンからの空気を排気口に排気する排気通路を有するダクトとを有し、
前記ダクトは、前記吸気通路および前記排気通路が隣接して設置されることを特徴とする冷却装置。
【請求項３】
前記吸気通路および前記排気通路が形成されるように前記ダクト内を分割する仕切板を有し、前記仕切板の前記放熱フィン側の端部は、前記放熱フィンの回転方向と同方向に傾斜していることを特徴とする請求項１または請求項２に記載の冷却装置。
【請求項４】
吸気通路および排気通路が形成されるように前記ダクト内を分割する仕切板を有し、前記仕切板は、前記放熱フィンの回転中心軸に対して前記放熱フィンの回転方向側に位置していることを特徴とする請求項１または請求項２に記載の冷却装置。
【請求項５】
前記吸気通路の断面積Ａと、前記放熱フィンの周囲の前記ダクトの断面積Ｂと、前記排気通路の断面積Ｃとの関係を、Ｂ／２＞Ａ、またはＢ／２＞Ｃとなるようにしたことを特徴とする請求項１または請求項２に記載の冷却装置。
【請求項６】
前記吸気通路の幅または前記排気通路の幅を前記放熱フィンの半径以下に設定したことを特徴とする請求項１または請求項２に記載の冷却装置。
【請求項７】
前記吸気口および前記排気口の外部に、前記吸気口に流入する空気と前記排気口から排気される空気が混ざらないように仕切る仕切板を設けたことを特徴とする請求項１〜請求項６の何れか１項に記載の冷却装置。
【請求項８】
前記吸気口に吸気ファンを設け、前記吸気通路は、前記吸気口から前記放熱フィンに向かうに従って徐々に狭くなるように形成され、前記放熱フィン側の幅が前記放熱フィンの半径以下に設定されることを特徴とする請求項１〜請求項７の何れか１項に記載の冷却装置。
【請求項９】
前記排気口に排気ファンを設け、前記排気通路は、前記放熱フィン側から前記排気口に向かうに従って徐々に広くなるように形成され、前記放熱フィン側の幅が前記放熱フィンの半径以下に設定されることを特徴とする請求項１〜請求項８の何れか１項に記載の冷却装置。
【請求項１０】
放熱フィンを冷却するようにした冷却装置であって、
定着手段によって画像が定着された記録媒体を回転しながら冷却するヒートパイプと、前記ヒートパイプの外周部に固定され、前記ヒートパイプと略交差する方向に設置された前記放熱フィンと、前記放熱フィンを収納し、吸気口から前記放熱フィン側に空気を導入する吸気通路および前記放熱フィンからの空気を排気口に排気する排気通路を有するダクトとを有し、
前記吸気通路の断面積Ａと、前記放熱フィンの周囲の前記ダクトの断面積Ｂと、前記排気通路の断面積Ｃを、Ａ＜ＢまたはＣ＜Ｂの関係になるようにしたことを特徴とする冷却装置。
【請求項１１】
前記吸気通路の幅を狭くして前記断面積Ａを設定するか、または前記排気通路の幅を狭くして前記断面積Ｃを設定する、ガイド板を備えたことを特徴とする請求項１０に記載の冷却装置。
【請求項１２】
前記吸気通路または前記排気通路を構成するダクトを絞ることにより、前記断面積Ａ、Ｃを設定することを特徴とする請求項１０に記載の冷却装置。
【請求項１３】
前記放熱フィンよりも上流側の前記吸気通路にガイド板を設け、
前記ガイド板は、前記吸気通路の取付位置の基端部から先端部に向かって、前記放熱フィンの外周部に向けて斜めに設置されることを特徴とする請求項１１に記載の冷却装置。
【請求項１４】
前記ダクトは、前記ダクトに前記放熱フィンを挿入するための開口部を有し、前記ガイド板は、前記開口部よりも上流側に設けられることを特徴とする請求項１３に記載の冷却装置。
【請求項１５】
前記ガイド板は、吸入空気の流れと前記放熱フィンの回転方向が逆方向となる位置で前記吸気通路に設けられることを特徴とする請求項１３に記載の冷却装置。
【請求項１６】
前記ガイド板が、吸入空気の流れと前記放熱フィンの回転方向が同方向となる位置で前記吸気通路に追加して設けられることを特徴とする請求項１５に記載の冷却装置。
【請求項１７】
前記ガイド板は、前記ヒートパイプから突出する前記放熱フィンの突出方向と略垂直方向に設けられ、前記ガイド板の両端部が、両端部に挟まれる中央部より長く形成されることを特徴とする請求項１３〜請求項１６の何れか１項に記載の冷却装置。
【請求項１８】
放熱フィンを冷却するようにした冷却装置であって、
定着手段によって画像が定着された記録媒体を回転しながら冷却するヒートパイプと、前記ヒートパイプの外周部に固定され、前記ヒートパイプと略交差する方向に設置された前記放熱フィンと、前記放熱フィンを収納し、吸気口から前記放熱フィン側に空気を導入する吸気通路および前記放熱フィンからの空気を排気口に排気する排気通路を有するダクトとを有し、
前記ダクト内に設けられた吸気ファンと、前記吸気ファンと前記放熱フィンの間に設けられ、前記吸気ファンから送風される空気を前記放熱フィンに導く複数のガイド板とを備えたことを特徴とする冷却装置。
【請求項１９】
前記ガイド板は、前記放熱フィンの回転軸に対して略垂直の方向に互いに平行に設けられることを特徴とする請求項１８に記載の冷却装置。
【請求項２０】
前記ガイド板は、前記吸気ファン側の間隔が前記放熱フィン側の間隔より広くなるように設けられることを特徴とする請求項１８に記載の冷却装置。 
【請求項２１】
前記ガイド板のうちの両端部に位置するガイド板は、両端部を挟んで設けられるガイド板よりも長く形成され、それぞれのガイド板は、前記放熱フィンから前記ガイド板までの距離が均一に形成されることを特徴とする請求項１８〜請求項２０の何れか１項に記載の用紙冷却装置。 
【請求項２２】
前記記録媒体に画像を形成する画像形成手段を有し、請求項１〜請求項２１の何れか１項に記載の冷却装置を備えたことを特徴とする画像形成装置。
【発明の詳細な説明】
【技術分野】
【０００１】
本発明は冷却装置および画像形成装置に関し、例えば、複写機、ファクシミリ装置、プリンタ装置、ファクシミリ機能と複写機能を有する複合機等の画像形成装置に設けられた定着装置によって加熱された記録媒体を冷却する冷却装置およびその冷却装置を備えた画像形成装置に関するものである。
【背景技術】
【０００２】
複写機、ファクシミリ装置、プリンタ装置、ファクシミリ機能と複写機能を有する複合機等を有する画像形成装置にあっては、記録紙に付着した溶融トナーを熱定着装置によって記録紙に定着させるようになっている。
【０００３】
ところで、熱定着装置から排紙される記録紙は高温になっており、特に、高速で画像を形成することができる画像形成装置においては、記録紙が高温のままで排紙トレイに排出されるので、トナーが融着固化して排紙トレイ上の記録紙同士が貼り付いてしまう（ブロッキング）と言う不具合が発生してしまう。
【０００４】
このような不具合を解消するものとしては、定着手段によって画像が定着された記録媒体を冷却するヒートパイプと、ヒートパイプに設けられ、ヒートパイプと略交差する方向に設置された放熱フィンと、放熱フィンを収納し、吸気口から放熱フィン側に空気を導入する吸気通路および放熱フィンからの空気を排気口に排気する排気通路を有するダクトと、吸気口に設けられ、放熱フィンに空気を吹き付けることにより放熱フィンを冷却するファンとを備えた冷却装置が知られている（例えば、特許文献１および特許文献２参照）。
【特許文献１】実用新案第２５４２９３５号公報
【特許文献２】特開２００３−２４１６２３号公報
【発明の開示】
【発明が解決しようとする課題】
【０００５】
しかしながら、このような従来の冷却装置にあっては、高速コピーを行うことができる画像形成装置に適用した場合に、定着装置から排紙される記録紙の温度が上昇すると、記録紙を十分に冷却することができないという問題があった。
【０００６】
すなわち、ヒートパイプを用いた冷却装置にあっては、熱抵抗が最も大きいのは放熱フィンの強制空冷の熱抵抗であり、冷却効率を向上させるためには、放熱フィンを効率良く冷やすことが必要である。
【０００７】
そのためには、冷却ファンの定格を上げる等の方策も考えられるが、このようにすると、コストが高くなってしまうとともに、冷却ファンの駆動音による騒音が発生してしまい、省エネルギーの観点からは好ましくない。
【０００８】
また、冷却ファンの個数を増やすことも考えられるが、上述したように定格を上げる場合と同様の問題があるばかりでなく、冷却ファンを増やすことによる有効な冷却方法についての詳細は未だ分かっていない。
【０００９】
また、従来の冷却装置においては、ヒートパイプの端部に設けられた複数枚の放熱フィンにダクトを通して空気を吹き付けることにより、放熱フィンを冷却しているが、この放熱フィンはヒートパイプが記録紙を冷却するときに共に回転している。
【００１０】
このときのダクトを流れる気流の様子を解析すると、図４９に示すように、図示しない冷却ファンから吹き付けられた空気は、放熱フィン１に衝突すると、左右に分かれ、放熱フィン１の回転方向と同一の方向に分かれた空気の流れは大部分が放熱フィン１の間に流れ込んで放熱フィン１をよく冷却しているが、放熱フィン１の回転方向と反対方向の空気の流れは放熱フィン１には弾かれて、ほとんどが放熱フィン１の外側に逃れてしまい、放熱フィン１の冷却に寄与していないことが実験で分かっている。
【００１１】
また、冷却ファン２の流速プロファイルを図５０に示すと、一般的に中央が大きく凹んだ二つのピークを持つ山形である事が分かり、冷却ファン２の出力をそのまま放熱フィン１に当てると、凹んだ谷に相当する所には十分に風が当たらないと考えられ、これも放熱フィン１の冷却効率を低下させる一つの原因であると考えられる。
【００１２】
本発明は、従来の問題を解決するためになされたもので、ヒートパイプによる冷却効率を増大させることができ、記録媒体を十分に冷却することができる冷却装置および画像形成装置を提供することを目的とする。
【課題を解決するための手段】
【００１３】
本発明の冷却装置は、放熱フィンを冷却するようにした冷却装置であって、定着手段によって画像が定着された記録媒体を回転しながら冷却するヒートパイプと、前記ヒートパイプの外周部に固定され、前記ヒートパイプと略交差する方向に設置された前記放熱フィンと、前記放熱フィンを収納し、吸気口から前記放熱フィン側に空気を導入する吸気通路および前記放熱フィンからの空気を排気口に排気する排気通路を有するダクトとを有し、前記ダクトは、前記吸気口および前記排気口がそれぞれ２つ設けられ、前記吸気通路および前記排気通路のそれぞれが２つ設けられたものから構成されている。
【００１４】
この構成により、ダクトは、吸気口および排気口をそれぞれ２つ有し、吸気通路および排気通路のそれぞれを２つ備えるので、吸気通路によって放熱フィンの回転方向と一致する方向に沿った空気の流れを形成することができ、この空気の流れによって放熱フィンを効率良く冷却することができる。
【００１５】
このため、ヒートパイプを効率良く冷却することができ、記録媒体を十分に冷却することができる。また、ヒートパイプの冷却効率を向上することができるので、冷却ファンを用いた場合に、この冷却ファンの定格を下げることができ、省エネおよび騒音低減を図ることができる。
【００１６】
また、本発明の冷却装置は、放熱フィンを冷却するようにした冷却装置であって、定着手段によって画像が定着された記録媒体を回転しながら冷却するヒートパイプと、前記ヒートパイプの外周部に固定され、前記ヒートパイプと略交差する方向に設置された前記放熱フィンと、前記放熱フィンを収納し、吸気口から前記放熱フィン側に空気を導入する吸気通路および前記放熱フィンからの空気を排気口に排気する排気通路を有するダクトとを有し、前記ダクトは、前記吸気通路および前記排気通路が隣接して設置されるものから構成されている。
【００１７】
この構成により、ダクトに、吸気通路および排気通路を隣接して設置しているので、吸気通路からの空気の流れと排気通路から排気される空気の流れとを放熱フィンの回転方向を常に一致させることができ、この空気の流れによって放熱フィンを効率良く冷却することができる。
【００１８】
このため、ヒートパイプを効率良く冷却することができ、記録媒体を十分に冷却することができる。また、ヒートパイプの冷却効率を向上することができるので、冷却ファンを用いた場合に、この冷却ファンの定格を下げることができ、省エネおよび騒音低減を図ることができる。
【００１９】
また、本発明の冷却装置は、前記吸気通路および前記排気通路が形成されるように前記ダクト内を分割する仕切板を有し、前記仕切板の前記放熱フィン側の端部は、前記放熱フィンの回転方向と同方向に傾斜しているものから構成されている。
【００２０】
この構成により、仕切板の放熱フィン側の端部を放熱フィンの回転方向と同方向に傾斜させることにより、空気を放熱フィンの回転方向に沿って指向させることができる。
【００２１】
このとき、仕切板の傾斜により気流が絞り込まれることにより、流速が加速して冷却効果を向上させることができるとともに、仕切板の放熱フィン側の端部で気流が渦を巻いて排気通路側に逆流するのを防止して吸気気流の損失が発生するのを防止することができる。この結果、ヒートパイプをより一層効率良く冷却することができ、記録媒体を十分に冷却することができる。
【００２２】
また、ヒートパイプの冷却効率をより一層向上することができるので、冷却ファンを用いた場合に、この冷却ファンの定格をより一層下げることができ、より一層の省エネおよび騒音低減を図ることができる。
【００２３】
また、本発明の冷却装置は、吸気通路および排気通路が形成されるように前記ダクト内を分割する仕切板を有し、前記仕切板は、前記放熱フィンの回転中心軸に対して前記放熱フィンの回転方向側に位置しているものから構成されている。
この構成により、仕切板を放熱フィンの回転中心軸に対して放熱フィンの回転方向側に位置させているので、空気を放熱フィンの回転方向に沿って指向させることができる。
【００２４】
このとき、仕切板に傾斜がある場合と同様に、気流の絞込みによる冷却効果の向上を図ることができるとともに、仕切板端部での逆流防止作用のため冷却効率を向上させることができる。この結果、ヒートパイプをより一層効率良く冷却することができ、記録媒体を十分に冷却することができる。
【００２５】
また、ヒートパイプの冷却効率をより一層向上することができるので、冷却ファンを用いた場合に、この冷却ファンの定格をより一層下げることができ、より一層の省エネおよび騒音低減を図ることができる。
【００２６】
また、本発明の冷却装置は、前記吸気通路の断面積Ａと、前記放熱フィンの周囲の前記ダクトの断面積Ｂと、前記排気通路の断面積Ｃとの関係を、Ｂ／２＞Ａ、またはＢ／２＞Ｃとなるようにしたものから構成されている。
【００２７】
この構成により、吸気口より吸気された空気は吸入通路の形状により吸入通路の断面積Ａが放熱フィンの周囲のダクトの断面積Ｂ以下になるまで絞られてから放熱フィンに到達し、放熱フィンに到達した後にダクトと共に広がり、放熱フィンを半周、もしくは一周した後に再び排気通路の形状により放熱フィンの周囲のダクトの断面積Ｂ以下に絞られてから排気口から排出される。
【００２８】
このため、放熱フィンに集中的に空気を吹き付けて放熱フィンを冷却することができるので、ヒートパイプをより一層効率良く冷却することができ、記録媒体を十分に冷却することができる。
【００２９】
また、ヒートパイプの冷却効率をより一層向上することができるので、冷却ファンを用いた場合に、この冷却ファンの定格をより一層下げることができ、より一層の省エネおよび騒音低減を図ることができる。
【００３０】
また、吸気通路の断面積Ａ、放熱フィンの周囲のダクトの断面積Ｂおよび排気通路の断面積Ｃとの関係をＢ／２＞Ａ、またはＢ／２＞Ｃとなるようにして吸気通路または排気通路の断面積を放熱フィンの周囲のダクトの断面積よりも小さくするようにしたので、冷却装置を小型化することができる。
【００３１】
また、本発明の冷却装置は、前記吸気通路の幅または前記排気通路の幅を前記放熱フィンの半径以下に設定したものから構成されている。  
この構成により、吸気口より吸気された空気は吸入通路の形状により吸入通路の幅が放熱フィンの半径以下になるまで絞られてから放熱フィンに到達し、放熱フィンに到達した後にダクトと共に広がり、放熱フィンを半周、もしくは一周した後に再び排気通路の形状により排気通路の幅が放熱フィンの半径以下に絞られてから排気口から排出される。
【００３２】
このため、放熱フィンに集中的に空気を吹き付けて放熱フィンを冷却することができるので、ヒートパイプをより一層効率良く冷却することができ、記録媒体を十分に冷却することができる。
【００３３】
また、本発明の冷却装置は、前記吸気口および前記排気口の外部に、前記吸気口に流入する空気と前記排気口から排気される空気が混ざらないように仕切る仕切板を設けたものから構成されている。
【００３４】
この構成により、排気口から排気された温風が、再び吸気口より冷却空気として排気口から取り込まれてしまうのを防止することができ、放熱フィンを効率良く冷却することができ、ヒートパイプをより一層効率良く冷却することができる。
【００３５】
また、本発明の冷却装置は、前記吸気口に吸気ファンを設け、前記吸気通路は、前記吸気口から前記放熱フィンに向かうに従って徐々に狭くなるように形成され、前記放熱フィン側の幅が前記放熱フィンの半径以下に設定されるものから構成されている。
【００３６】
この構成により、吸気ファンからの空気を吸気通路で絞り込むことにより、吸気ファンの流速プロファイルを最適なものに形成することができ、放熱フィンに集中的に空気を吹き付けて放熱フィンを冷却することができる。このため、ヒートパイプをより一層効率良く冷却することができ、記録媒体を十分に冷却することができる。
【００３７】
また、ヒートパイプの冷却効率をより一層向上することができるので、冷却ファンを用いた場合に、この冷却ファンの定格をより一層下げることができ、より一層の省エネおよび騒音低減を図ることができる。
【００３８】
また、本発明の冷却装置は、前記排気口に排気ファンを設け、前記排気通路は、前記放熱フィン側から前記排気口に向かうに従って徐々に広くなるように形成され、前記放熱フィン側の幅が前記放熱フィンの半径以下に設定されるものから構成されている。
【００３９】
この構成により、吸気通路から排気される空気を排気通路で絞り込むことにより、排気ファンに送り込まれる空気を、放熱フィンから集中的に集めているので放熱フィンをより冷却することができる。
【００４０】
また、ヒートパイプの冷却効率をより一層向上することができるので、冷却ファンを用いた場合に、この冷却ファンの定格をより一層下げることができ、より一層の省エネおよび騒音低減を図ることができる。
【００４１】
また、本発明の冷却装置は、放熱フィンを冷却するようにした冷却装置であって、定着手段によって画像が定着された記録媒体を回転しながら冷却するヒートパイプと、前記ヒートパイプの外周部に固定され、前記ヒートパイプと略交差する方向に設置された前記放熱フィンと、前記放熱フィンを収納し、吸気口から前記放熱フィン側に空気を導入する吸気通路および前記放熱フィンからの空気を排気口に排気する排気通路を有するダクトとを有し、前記吸気通路の断面積Ａと、前記放熱フィンの周囲の前記ダクトの断面積Ｂと、前記排気通路の断面積Ｃを、Ａ＜ＢまたはＣ＜Ｂの関係になるようにしたものから構成されている。
【００４２】
この構成により、吸気口より吸気された空気は吸入通路の形状により吸入通路の断面積Ａが放熱フィンの周囲のダクトの断面積Ｂ以下になるまで絞られてから放熱フィンに到達し、放熱フィンに到達した後にダクトと共に広がり、放熱フィンを半周した後に再び排気通路の形状により放熱フィンの周囲のダクトの断面積Ｂ以下に絞られてから排気口から排出される。
【００４３】
このため、放熱フィンに集中的に空気を吹き付けて放熱フィンを冷却することができるので、ヒートパイプをより一層効率良く冷却することができ、記録媒体を十分に冷却することができる。
【００４４】
また、ヒートパイプの冷却効率をより一層向上することができるので、冷却ファンを用いた場合に、この冷却ファンの定格をより一層下げることができ、より一層の省エネおよび騒音低減を図ることができる。
【００４５】
また、吸気通路の断面積Ａ、放熱フィンの周囲のダクトの断面積Ｂおよび排気通路の断面積ＣをＡ＜ＢまたはＣ＜Ｂの関係になるようにして吸気通路および排気通路を放熱フィンの周囲のダクトの断面積Ｂよりも小さくするようにしたので、冷却装置を小型化することができる。
【００４６】
また、本発明の冷却装置は、前記吸気通路の幅を狭くして前記断面積Ａを設定するか、もしくは前記排気通路の幅を狭くして前記断面積Ｃを設定するガイド板を備えたものから構成されている。
【００４７】
この構成により、ガイド板によって吸気通路および排気通路の断面積Ａ、Ｃを放熱フィンの周囲のダクトの断面積Ｂよりも絞ることができ、簡単な構成でヒートパイプの冷却効率をより一層向上することができるとともに、冷却ファンを用いた場合に、この冷却ファンの定格をより一層下げることができ、より一層の省エネおよび騒音低減を図ることができる。
【００４８】
また、本発明の冷却装置は、前記吸気通路および前記排気通路の通路径を前記断面積Ｂよりも狭くすることにより、前記断面積Ａ、Ｃを設定するものから構成されている。
この構成により、吸気通路および前記排気通路の通路径を前記断面積Ｂよりも狭くすることにより、吸気通路および排気通路の断面積Ａ、Ｃを設定するので、簡単な構成でヒートパイプの冷却効率をより一層向上することができるとともに、冷却ファンを用いた場合に、この冷却ファンの定格をより一層下げることができ、より一層の省エネおよび騒音低減を図ることができる。
【００４９】
また、本発明の冷却装置は、前記放熱フィンよりも上流側の前記吸気通路にガイド板を設け、前記ガイド板は、前記吸気通路の取付位置の基端部から先端部に向かって、前記放熱フィンの外周部に向けて斜めに設置されるものから構成されている。
【００５０】
この構成により、ガイド板によって吸入空気が放熱フィンの外周部に誘導されるので、放熱フィンの回転方向に拘わらずに放熱フィンに集中的に空気を吹き付けて放熱フィンを冷却することができる。このため、ヒートパイプをより一層効率良く冷却することができ、記録媒体を十分に冷却することができる。
【００５１】
また、本発明の冷却装置の前記ダクトは、前記ダクトに前記放熱フィンを挿入するための開口部を有し、前記ガイド板は、前記開口部よりも上流側に設けられるものから構成されている。
【００５２】
この構成により、開口部よりも上流側に設けられたガイド板によって吸入空気が放熱フィンの外周部に誘導されるので、放熱フィンの回転方向に拘わらずに放熱フィンに集中的に空気を吹き付けて放熱フィンを冷却することができる。このため、ヒートパイプをより一層効率良く冷却することができ、記録媒体を十分に冷却することができる。
【００５３】
また、本発明の冷却装置の前記ガイド板は、吸入空気の流れと前記放熱フィンの回転方向が逆方向となる位置で前記吸気通路に設けられるものから構成されている。
【００５４】
この構成により、放熱フィンの回転方向と対峙する向きの気流が放熱フィンの外周の外側に逸れることなしに放熱フィン間の隙間に入り込み効率良く冷却することができる。
また、本発明の冷却装置の前記ガイド板は、吸入空気の流れと前記放熱フィンの回転方向が同方向となる位置で前記吸気通路に設けられるものから構成されている。
この構成により、放熱フィンの回転方向と一致する側の気流が放熱フィンの外周の外側に逸れることなしに放熱フィン間の隙間に入り込み効率良く冷却することができる。
【００５５】
また、本発明の冷却装置の前記ガイド板は、前記ヒートパイプから突出する前記放熱フィンの突出方向と略垂直方向に設けられ、前記ガイド板の両端部が、両端部に挟まれる中央部より長く形成されるものから構成されている。
【００５６】
この構成により、ガイド板によって吸入空気が放熱フィンの外周部に誘導されるので、放熱フィンの回転方向に拘わらずに放熱フィンに集中的に空気を吹き付けて放熱フィンを冷却することができる。このとき、ガイド板のうちの両端部に位置するガイド板が両端部を挟んで設けられるガイド板よりも長く形成されるので、ガイド板を回り込んで放熱フィンの外側に逸れてしまう吸入空気の流れの割合が少なくなり、放熱フィンと放熱フィンの隙間に気流を効率良く誘導することができる。
【００５７】
このため、ヒートパイプをより一層効率良く冷却することができ、記録媒体を十分に冷却することができる。
【００５８】
また、本発明の冷却装置は、放熱フィンを冷却するようにした冷却装置であって、定着手段によって画像が定着された記録媒体を回転しながら冷却するヒートパイプと、前記ヒートパイプの外周部に固定され、前記ヒートパイプと略交差する方向に設置された前記放熱フィンと、前記放熱フィンを収納し、吸気口から前記放熱フィン側に空気を導入する吸気通路および前記放熱フィンからの空気を排気口に排気する排気通路を有するダクトとを有し、前記ダクト内に設けられた吸気ファンと、前記吸気ファンと前記放熱フィンの間に設けられ、前記吸気ファンから送風される空気を前記放熱フィンに導く複数のガイド板とを備えたものから構成されている。
【００５９】
この構成により、ガイド板によって吸入空気が放熱フィンの外周部に誘導されるので、放熱フィンの回転方向に拘わらずに放熱フィンに集中的に空気を吹き付けて放熱フィンを冷却することができる。このため、ヒートパイプをより一層効率良く冷却することができ、記録媒体を十分に冷却することができる。
【００６０】
また、本発明の冷却装置の前記ガイド板は、前記放熱フィンの回転軸に対して略垂直の方向に互いに平行に設けられるものから構成されている。
この構成により、ガイド板によって吸入空気を放熱フィンの外周部に効率良く誘導することができる。
【００６１】
また、本発明の冷却装置の前記ガイド板は、前記吸気ファン側の間隔が前記放熱フィン側の間隔より広くなるように設けられるものから構成されている。
【００６２】
この構成により、ガイド板によって吸入空気を放熱フィンの外周部に集中させて効率良く誘導することができる。
【００６３】
また、本発明の冷却装置は、前記ガイド板のうちの両端部に位置するガイド板は、両端部を挟んで設けられるガイド板よりも長く形成され、それぞれのガイド板は、前記放熱フィンから前記ガイド板までの距離が均一に形成されるものから構成されている。
【００６４】
この構成により、両端のガイド板と放熱フィンの間の隙間を小さくすることができるので、ガイド板を回り込んで放熱フィンの外側に逸れてしまう吸入空気の流れの割合が少なくなり、放熱フィンと放熱フィンの隙間に気流が誘導される効果が向上している。
【００６５】
また、本発明の画像形成装置は、前記記録媒体に画像を形成する画像形成手段を有し、上述した冷却装置を備えたものから構成されている。
【発明の効果】
【００６６】
本発明は、ヒートパイプによる冷却効率を増大させることができ、記録媒体を十分に冷却することができる冷却装置および画像形成装置を提供することができるものである。
【発明を実施するための最良の形態】
【００６７】
以下、本発明の実施の形態について、図面を用いて説明する。
（第１の実施の形態）
図１〜図１２は本発明に係る冷却装置およびその冷却装置を備えた画像形成装置の第１の実施の形態を示す図であり、本実施の形態を複写機に適用した例を示している。なお、画像形成装置としては、複写機以外にファクシミリ装置、プリンタ装置、ファクシミリ機能と複写機能を有する複合機等に適用することができる。
まず、構成を説明する。図１において、複写機の筐体１１内には、原稿を読取位置に搬送する自動原稿搬送装置１２と、原稿を読取るスキャナ手段１３と、給紙手段１８から給紙された記録紙（記録媒体）にトナー画像（可視像）を形成する現像手段１４と、スキャナ手段１３によって読取られた画像データが担持されるとともに、画像データ上にトナーが転写される感光体１５と、感光体１５に転写されたトナー画像を記録紙に転写する転写手段１６と、記録紙にトナー画像を熱定着するトナー定着手段１７と、画像形成用の記録紙が収納された給紙手段１８とを備えている。
【００６８】
本実施の形態では、スキャナ手段１３、現像手段１４、感光体１５、転写手段１６およびトナー定着手段１７が画像形成手段を構成している。
筐体１１は図２、３に示すように、底板１９に設立された支柱２０と、これらを相互に連結する梁材２１とによって骨組が構成されている。筐体１１の後側にダクト室２２が併設されており、それらの間には筐体１１の後側板２８が位置している。 
ダクト室２２内には、図４、５に示すダクト２４が配置されており、ダクト２４は縦向部２６と横向部２７とが設けられ、これらの縦向部２６と横向部２７の両側は、前側が筐体１１の後側板２８で、後側はダクト室２２の外装カバー２９によって構成されている。
【００６９】
そして、図５に示すように筐体１１の後側板２８に設けられた設置孔３０を貫通して、定着手段１７から排紙された転写紙を冷却する冷却手段を構成するヒートパイプ３２を配置し、このヒートパイプ３２には、ダクト室２２内に位置する放熱フィン３３が取付けられている。なお、ヒートパイプ３２はトナー定着手段１７から排紙される記録紙を冷却する際に記録紙に摺接して回転するようになっている。
【００７０】
このダクト室２２の放熱フィン３３の両側には給気ファン３４と排気ファン３６とが設置されている。また、ヒートパイプ３２同士は継手部材３８によって連結されている。図６（ａ）（ｂ）に示すように、放熱フィン３３はヒートパイプ３２の外周部に固定されており、ヒートパイプ３２と略交差する方向に設置されている。
【００７１】
図７に示すように、縦向部２６および横向部２７によって画成される（横向部２７は図示略）ダクト２４内には仕切板３９、４０が設けられており、この仕切板３９、４０によってダクト２４内は２つの吸気口４１ａ、４２ａと排気口４３ａ、４４ａを備えた２つの吸気通路４１、４２および排気通路４３、４４が画成されている。
【００７２】
また、吸気通路４１、４２および排気通路４３、４４はそれぞれ隣接しており、吸気口４１ａ、４２ａにはそれぞれ吸気ファン３４が設けられ、排気口４３ａ、４４ａにはそれぞれ排気ファン３６が設けられている。なお、吸気通路４１、４２は放熱フィン３３の回転方向に空気を流入させる方向に設けられる。
【００７３】
本実施の形態では、放熱フィン３３を介してヒートパイプ３２を冷却する際に、吸気ファン３４および排気ファン３６を作動させると、ダクト２４内には図７に示すように、吸気通路４１、４２から流入した空気が放熱フィン３３に衝突して排気通路４３、４４から排気される。
【００７４】
このとき、図７、図８に示すようにそれぞれの吸気通路４１、４２および排気通路４３、４４で放熱フィン３３の回転方向と同じ方向の空気の流れによって、放熱フィン３３が冷却され、この放熱フィン３３が取付けられているヒートパイプ３２が冷却される。
【００７５】
ここで、ダクト２４内が本実施の形態のように２つの吸気通路および排気通路に分割されていない場合には、図４９の従来例に示すように、ダクト内を流れる風の向きは放熱フィンに衝突した後、放熱フィンの回転方向と同一な方向と、反対の方向とに分かれ、同一な方向に流れる空気は放熱フィン間に入り込み良く、放熱フィンを冷却するが、反対の方向は空気が入り込まず冷却され難い。
【００７６】
本実施の形態では、ダクト２４内に２つの吸気口４１ａ、４２ａおよび排気口４３ａ、４４ａを設けてダクト２４内を２つの吸気通路４１、４２および排気通路４３、４４に分割したので、吸気通路４１、４２によって放熱フィン３３の回転方向と一致する方向に沿った空気の流れを形成することができ、この空気の流れによって放熱フィン３３を効率良く冷却することができる。
【００７７】
このため、ヒートパイプ３２を効率良く冷却することができ、記録紙を十分に冷却することができる。また、ヒートパイプ３２の冷却効率を向上することができるので、冷却ファン３４を用いた場合に、この冷却ファン３４の定格を下げることができ、省エネおよび騒音低減を図ることができる。
【００７８】
このとき、図１１に示すように、仕切板３９と放熱フィン３３の間の隙間が広いと、仕切板３９の端部で流れに回り込みが生じ（Ｘで示す）、冷却気流にロスが生じるので、仕切板３９と放熱フィン３３はなるべく接近していることが望ましい。
【００７９】
ところが、放熱フィン３３が高速で回転運動を伴うことや放熱フィン３３が取り付けられているヒートパイプ３２を含むユニットが紙ジャム時の除去対応のために通常脱着できる構成であること等から、接近できる距離には限界がある。
【００８０】
このため、図１２に示すように、仕切板３９の先端部３９ａと放熱フィン３３の距離ｌを３〜５ｍｍ程度とするのが望ましい。なお、この距離は、以下で示す実施の形態の全てにおいて共通するので、以下の実施の形態では、特別にこの距離に関する説明を省略するものもある。
【００８１】
なお、本実施の形態では、吸気口４１ａ、４２ａおよび排気口４３ａ、４４ａのそれぞれに吸気ファン３４および排気ファン３６を設けているが、図１０に示すように、吸気口４１ａ、４２ａのみに吸気ファン３４を用いて排気ファン３６を用いなくとも良く、または、４３ａ、４４ａのみに排気ファン３６を用いて吸気ファン３４を用いなくとも良い。本実施の形態では、図９に示すように吸気通路および排気通路が１つしか設けられていない比較例に比べ、同じ定格の吸気ファン３４二個のみを用いた場合で熱抵抗を５２％低下させることができた。
【００８２】
（第２の実施の形態）
図１３は本発明に係る冷却装置およびその冷却装置を備えた画像形成装置の第２の実施の形態を示す図であり、第１の実施の形態と同様の構成には同一番号を付して説明を省略する。
【００８３】
図１３において、本実施の形態では、仕切板４５を放熱フィン３３の回転と同方向に傾斜させたものである。
【００８４】
本実施の形態では、仕切板４５の傾斜により冷却気流に絞込みが生じ、絞り込むことで気流が加速し冷却効果を向上させることができる。しかも、仕切板４５の端部から流れ出る気流の方向と放熱フィン３３の回転方向とをなるべく同一の方向に向けることによって、図１１で示したような逆流を改善することができるので、仕切板４５そのものを傾斜させることで冷却効果が更に向上することを見出した。
【００８５】
このとき、仕切板４５の傾斜角が小さ過ぎると、改善効果が小さいが、逆に大きすぎると空気の流れが放熱フィン３３の隙間に入り込まず外側に逸れて流れてしまう。
【００８６】
したがって、本実施の形態では、図１４に示すように、仕切板４５の端部４５ａが、フィン３３の中心を通りダクトの長手方向と平行な中心軸から放熱フィン３３の回転方向に放熱フィン３３の半径Ｒの半分程までの範囲にあることが望ましい。
【００８７】
また、中心軸に対する仕切板４５の傾斜角θは、仕切板４５の端部４５ａと放熱フィン３３の距離ｌが３〜５ｍｍ程度の場合に、中心軸付近では最大１５°前後とし、中心軸から最も離れた場合には、中心軸と略平行とすることが望ましい。
【００８８】
このように本実施の形態では、仕切板４５を放熱フィン３３の回転と同方向に傾斜させたので、冷却気流の絞込みによる加速効果と仕切板４５での逆流抑制効果を図ることができる。この結果、ヒートパイプ３２をより一層効率良く冷却することができ、記録紙を十分に冷却することができる。
【００８９】
また、ヒートパイプ３２の冷却効率をより一層向上することができるので、吸気ファン３４および排気ファン３６の定格をより一層下げることができ、より一層の省エネおよび騒音低減を図ることができる。
【００９０】
（第３の実施の形態）
図１５〜図１７は本発明に係る冷却装置およびその冷却装置を備えた画像形成装置の第３の実施の形態を示す図であり、第１の実施の形態と同様の構成には同一番号を付して説明を省略する。
【００９１】
本実施の形態では、仕切板４５が放熱フィン３３の回転と同方向に傾斜するように、仕切板４５の先端部４５ａを放熱フィン３３の回転と同方向に屈曲させたものである。
【００９２】
第２の実施の形態において、仕切板４５に傾斜を持たせることで冷却効果が増加することを説明したが、図１５に示すように、仕切板４５を傾斜させると、流路の幅Ｌが傾斜する破線で示す仕切板４５によって幅Ｌ´に狭められて（Ｌ＞Ｌ´）、円滑な排出が阻害されるとともに、流入側から仕切板４５を回り込む逆流を誘発することになり冷却効率の低下を招くことになる。
【００９３】
本実施の形態では、図１５に示すように，仕切板４５の先端部のみを傾斜させ、第２の実施の形態と同様な効果を狙うとともに仕切板４５全体を傾斜させることに伴う上述した不具合を解消することができる。
【００９４】
このとき、仕切板４５の端部４５ａと放熱フィン３３との位置関係は第２の実施の形態と同様である。また、仕切板４５の端部４５ａの傾斜部分の長さは、短すぎると十分な効果が望めず、逆に、長すぎると第１の実施の形態と同様な不具合が生じる場合がある。本実施の形態では、図１７に示すように仕切板４５の端部４５ａの傾斜部分の長さは、短くとも２０ｍｍ程度とし、長さの上限はダクト排気側の流路幅減少が２割以下程度となるようにした。
【００９５】
このため、図１１で示したものと同様に、仕切板４５の放熱フィン３３側の端部４５ａで流れが巻き込んで渦を生じ一部逆流して、放熱フィン３３を冷却せずに、排気通路に流れ込んでしまうのを防止することができ、第１、第２の実施の形態と同様の効果を得ることができる。また、本実施の形態にあっても、二個の吸気ファン３４のみを用いた場合で熱抵抗を５６％低下させることができた。
【００９６】
なお、本実施の形態および第２の実施形態では、吸気口４１ａ、４２ａおよび排気口４３ａ、４４ａのそれぞれに吸気ファン３４および排気ファン３６を設けているが、図１６に示すように、吸気口４１ａ、４２ａのみに吸気ファン３４を設けても良い。
【００９７】
（第４の実施の形態）
図１８、図１９は本発明に係る冷却装置およびその冷却装置を備えた画像形成装置の第４の実施の形態を示す図であり、第１の実施の形態と同様の構成には同一番号を付して説明を省略する。
【００９８】
本実施の形態では、図１８に示すように、仕切板４６を放熱フィン３３の回転中心軸に対して回転方向側に位置させたものである。このように構成することにより、第２、３の実施の形態と同様に、気流の絞込みによって流速を加速させて冷却効果を一層増加させるとともに排気を阻害するのを防ぎ、図１１に示した逆流を防止することができるため、仕切板を傾斜させることなく第２、第３の実施の形態と同様の効果を得ることができる。このとき、仕切板端部４５ａとフィンとの位置関係は図１９に示すように第２の実施の形態と同様である。また、吸気ファン３４および排気ファン３６の設置方法は第２、第３の実施の形態と同様でも良い。
【００９９】
（第５の実施の形態）
図２０は本発明に係る冷却装置およびその冷却装置を備えた画像形成装置の第５の実施の形態を示す図であり、第１の実施の形態と同様の構成には同一番号を付して説明を省略する。
【０１００】
本実施の形態では、奥行きの等しいダクトにおいて、図２０に示すように、吸気通路４１、４２の幅Ａと、放熱フィン３３の周囲のダクト２４の幅Ｂと、排気通路４３、４４の幅Ｃとの関係を、Ｂ／２＞Ａ、かつＢ／２＞Ｃとなるようにしているものであり、特に、吸気通路４１、４２の幅および排気通路４３、４３の幅を放熱フィン３３の半径Ｒ以下に設定している。
【０１０１】
本実施の形態では、図２０に示すように吸気口４１ａ、４２ａから吸気通路４１、４２に吸気された空気は、ダクト２４の形状により流路の幅Ａが放熱フィン３３の半径Ｒ以下になるまで絞られてから放熱フィン３３に到達し、放熱フィン３３に到達後にダクト２４と共に広がり、放熱フィン３３を半周した後に再びダクト２４の形状により排気通路４３、４４の幅Ｃが放熱フィン３３の半径Ｒ以下に絞られてから排気口４３ａ、４４ａにより排出される。
【０１０２】
このように吸気口４１ａ、４２ａから入ってきた空気はダクト２４によって一旦絞られてから放熱フィン３３に吹き付けると、より放熱フィン３３の隙間に入り込み易くなる。このとき、放熱フィン３３に集中的に空気を吹き付けるためには、ダクト２４の幅は放熱フィン３３の半径Ｒ以下にすることが好ましい。さらに、放熱フィン３３の間に入り込んだ空気は、放熱フィン３３の半周分を冷却した後、ダクト２４の形状により絞られて排気口４３ａ、４４ａにより排出される。
【０１０３】
この結果、放熱フィン３３に集中的に空気を吹き付けて放熱フィンを冷却することができるので、ヒートパイプ３２をより一層効率良く冷却することができ、記録紙を十分に冷却することができる。
【０１０４】
また、ヒートパイプ３２の冷却効率をより一層向上することができるので、吸気ファン３４および排気ファン３６を用いた場合に、この吸気ファン３４および排気ファン３６の定格をより一層下げることができ、より一層の省エネおよび騒音低減を図ることができる。
【０１０５】
また、吸気通路４１、４２の幅Ａ、放熱フィン３３の周囲のダクトの幅および排気通路４３、４４の幅Ｃとの関係をＢ／２＞Ａ、かつＢ／２＞Ｃとなるようにして吸気通路４１、４２および排気通路４３、４４を放熱フィン３３の周囲のダクトの幅よりも小さくするようにしたので、冷却装置を小型化することができる。
【０１０６】
なお、本実施の形態にあっても、吸気口４１ａ、４２ａおよび排気口４３ａ、４４ａのそれぞれに吸気ファン３４および排気ファン３６を設けているが、図１６に示すように、吸気口４１ａ、４２ａのみに吸気ファン３４を設けても良い。
【０１０７】
（第６の実施の形態）
図２１は本発明に係る冷却装置およびその冷却装置を備えた画像形成装置の第６の実施の形態を示す図であり、第１の実施の形態と同様の構成には同一番号を付して説明を省略する。
【０１０８】
本実施の形態では、図２１に示すように、ダクト２４の外部の吸気口４１ａ、４２ａと排気口４３ａ、４４ａの間の二箇所に仕切板４７を設けたものである。本実施の形態では、外部側の仕切板４７により排気口４３ａ、４４ａから排気された温風が再び吸気口４１ａ、４２ａから冷却空気として取り込まれてしまうのを防止することができ、放熱フィン３３を効率良く冷却した、ヒートパイプ３２をより一層効率良く冷却することができる。
【０１０９】
なお、本実施の形態にあっても、吸気口４１ａ、４２ａおよび排気口４３ａ、４４ａのそれぞれに吸気ファン３４および排気ファン３６を設けているが、図１６に示すように、吸気口４１ａ、４２ａのみに吸気ファン３４を設けても良い。
【０１１０】
（第７の実施の形態）
図２２は本発明に係る冷却装置およびその冷却装置を備えた画像形成装置の第７の実施の形態を示す図であり、第１の実施の形態と同様の構成には同一番号を付して説明を省略する。
【０１１１】
本実施の形態では、図２２に示すように、吸気口４１ａ、４２ａに吸気ファン３４を設け、吸気通路４１、４２は、吸気口４１ａ、４２ａから放熱フィン３３に向かうに従って徐々に狭くなるように形成されている。また、放熱フィン３３側の幅は放熱フィン３３の半径Ｒ以下に設定されている。
【０１１２】
本実施の形態では、放熱フィン３３の半径Ｒ以下に絞られたダクト２４の幅から吸気ファン３４の幅までなだらかに放熱フィン３３の収納部５５を広げることにより、吸気ファン３４が作り出す流速を全て過不足無く放熱フィン３３に導くことができる。
【０１１３】
すなわち、吸気ファン３４の流速プロファイルは、図５０に示すように中央が大きく凹んだ二つのピークを持つ山形であるため、吸気ファン３４の出力をそのまま放熱フィン３３に当てると、凹んだ谷に相当する所には十分に風が当たらないと考えられる。
【０１１４】
本実施の形態では、吸気通路４１、４２のなだらかなスロープによって風を絞り込むことにより、上述した凹みを無くすことができるとともに、ダクト２４の幅を放熱フィン３３の半径Ｒ以下まで絞り込むことにより、吸気通路４１、４２から送られる空気を効率良く冷却に使用することができ、第１の実施の形態と同様の効果を得ることができる。
【０１１５】
（第８の実施の形態）
図２３は本発明に係る冷却装置およびその冷却装置を備えた画像形成装置の第８の実施の形態を示す図であり、第１の実施の形態と同様の構成には同一番号を付して説明を省略する。
【０１１６】
本実施の形態では、図２３に示すように、排気口４３ａ、４４ａに排気ファン３６を設け、排気通路４３、４４を、放熱フィン３３側から排気口４３ａ、４４ａに向かうに従って徐々に広くなるように形成し、放熱フィン３３側の幅を放熱フィン３３の半径Ｒ以下に設定したものである。
【０１１７】
本実施の形態では、ダクトから排出される空気を排気通路４３、４４で絞り込むことにより、排気ファン３６に送り込まれる空気を、放熱フィンから集中的に集めているので、放熱フィン３３を冷却することができ、第１の実施の形態と同様の効果を得ることができる。
【０１１８】
（第９の実施の形態）
図２４は本発明に係る冷却装置およびその冷却装置を備えた画像形成装置の第９の実施の形態を示す図であり、第１の実施の形態と同様の構成には同一番号を付して説明を省略する。
【０１１９】
本実施の形態では、図２４に示すように、吸気口４１ａ、４２ａに吸気ファン３４を設け、吸気通路４１、４２は、吸気口４１ａ、４２ａから放熱フィン３３に向かうに従って徐々に狭くなるように形成されている。また、放熱フィン３３側の幅は放熱フィン３３の半径Ｒ以下に設定されている。
【０１２０】
また、排気口４３ａ、４４ａに排気ファン３６を設け、排気通路４３、４４を、放熱フィン３３側から排気口４３ａ、４４ａに向かうに従って徐々に広くなるように形成し、放熱フィン３３側の幅を放熱フィン３３の半径Ｒ以下に設定したものである。
【０１２１】
本実施の形態では、放熱フィン３３の収納部５５のなだらかなスロープによって風を絞り込むことにより、図５０の流速プロファイルで示すような凹みを無くすことができるとともに、ダクト２４の幅を放熱フィン３３の半径Ｒ以下まで絞り込むことにより、吸気通路４１、４２から送られる空気を効率良く冷却に使用することができる。
【０１２２】
また、吸気通路４１、４２から排気される空気を排気通路４３、４４で絞り込むことにより、排気ファン３６に送り込まれる空気を、放熱フィンから集中的に集めているので、放熱フィン３３を冷却することができ、第１の実施の形態と同様の効果を得ることができる。
【０１２３】
（第１０の実施の形態）
図２５、図２６は本発明に係る冷却装置およびその冷却装置を備えた画像形成装置の第１０の実施の形態を示す図であり、第１の実施の形態と同様の構成には同一番号を付して説明を省略する。
【０１２４】
ダクト５１は１つの吸気口５２ａおよび排気口５３ａが設けられており、吸気口５２ａおよび排気口５３ａに連通する吸気通路５２と排気通路５３は仕切板５４によって分割されることによって隣接している。また、吸気口５２ａおよび排気口５３には吸気ファン３４および排気ファン３６がそれぞれ設けられている。なお、吸気通路５２は放熱フィン３３の回転方向に空気を流入させる方向に設けられる。
【０１２５】
本実施の形態では、放熱フィン３３を介してヒートパイプ３２を冷却する際に、吸気ファン３４および排気ファン３６を作動させると、ダクト５１内には図２５に示すように、吸気通路５２から流入した空気が放熱フィン３３に衝突して排気通路５３を介して排気口５３ａから排気される。
【０１２６】
このとき、吸気通路５２および排気通路５３で放熱フィン３３の回転方向と同じ方向の空気の流れによって、放熱フィン３３が冷却され、この放熱フィン３３が取付けられているヒートパイプ３２が冷却される。
【０１２７】
本実施の形態では、ダクト５１内に吸気口５２ａおよび排気口５３ａを設けるとともに、吸気通路５２および排気通路５３を隣接させたので、吸気通路５２によって放熱フィン３３の回転方向と一致する方向に沿った空気の流れを形成することができ、この空気の流れによって放熱フィン３３を効率良く冷却することができる。
【０１２８】
このため、ヒートパイプ３２を効率良く冷却することができ、記録紙を十分に冷却することができる。また、ヒートパイプ３２の冷却効率を向上することができるので、冷却ファン３４を用いた場合に、この冷却ファン３４の定格を下げることができ、省エネおよび騒音低減を図ることができる。
【０１２９】
このとき、仕切板５４とフィン３３の位置関係は、第１の実施の形態と同様であり、仕切板５４の端部での回り込みによる逆流を防ぐために、なるべく近いほうが良いが、構造上の制約があるため、３〜５ｍｍ程度が妥当であると考えられる。
【０１３０】
なお、本実施の形態では、吸気口５２ａと排気口５３ａに吸気ファン３４と排気ファン３６を設けてもよいが、図２６に示すように吸気口５２ａのみに吸気ファン３４を設けても良い。図８に示すように吸気通路および排気通路が１つしか設けられていない比較例に比べ、同じ定格の吸気ファン３４一個のみを用いた場合で熱抵抗を４１％低下させることができた。
【０１３１】
（第１１の実施の形態）
図２７、図２８本発明に係る冷却装置およびその冷却装置を備えた画像形成装置の第１１の実施の形態を示す図であり、第１の実施の形態および第１０の実施の形態と同様の構成には同一番号を付して説明を省略する。
【０１３２】
本実施の形態では、仕切板５４を放熱フィン３３の回転と同方向に傾斜させたものである。本実施の形態にあっても、仕切板５４の端部から流れ出る気流の方向と放熱フィン３３の回転方向とをなるべく同一の方向に向けるために、仕切板５４そのものを傾斜させ、仕切板５４の端部付近での気流の方向と放熱フィン３３の回転方向とを近づけることにより、空気を放熱フィン３３の回転方向に沿って指向させることができる。
【０１３３】
このとき、気流の絞込みによる流速の加速により冷却効果が更に増すとともに、仕切板５４の放熱フィン３３側の端部で気流が渦を巻いて排気通路５３側に逆流するのを防止して吸気気流の損失が発生するのを防止することができる。
【０１３４】
この結果、ヒートパイプ３２をより一層効率良く冷却することができ、記録紙を十分に冷却することができる。このとき、仕切板とフィンとの位置関係は、第２の実施の形態と同様であり、図２８に示すように、仕切板５４の端部５４ａ、放熱フィン３３の中心を通りダクトの長手方向と平行な中心軸から仕切板５４の回転方向に放熱フィン５４の半径Ｒの半分程までの範囲であることが望ましい。
【０１３５】
また、中心軸に対する仕切板５４の傾斜角θは、仕切板５４の端部５４ａとフィン３３の距離ｌが３〜５ｍｍ程度の場合、中心軸付近では最大１５°前後とし、中心軸から最も離れた場合には、中心軸と略平行となるのが望ましい。
【０１３６】
また、ヒートパイプ３２の冷却効率をより一層向上することができるので、吸気ファン３４および排気ファン３６の定格をより一層下げることができ、より一層の省エネおよび騒音低減を図ることができる。
【０１３７】
（第１２の実施の形態）
図２９は本発明に係る冷却装置およびその冷却装置を備えた画像形成装置の第１２の実施の形態を示す図であり、第１の実施の形態および第１０の実施の形態と同様の構成には同一番号を付して説明を省略する。
【０１３８】
本実施の形態では、図２９に示すように、仕切板５４が放熱フィン３３の回転と同方向に傾斜するように、仕切板５４の先端部５４ａを放熱フィン３３の回転と同方向に屈曲させたものである。
【０１３９】
本実施の形態にあっても、仕切板５４の先端部５４ａを屈曲させ、放熱フィン３３の回転方向と同一方向に傾斜させたので、第１１の実施の形態と同様に、仕切板５４の先端部５４ａの気流の方向と放熱フィン３３の回転方向とを近づけることができる。このため、図１１に示すように仕切板５４の放熱フィン３３側の端部で流れが巻き込んで渦を生じ一部逆流して、放熱フィン３３を冷却せずに、排気通路に流れ込んでしまうのを防止することができ、第１１の実施の形態と同様の効果を得ることができる。
【０１４０】
このとき、仕切板５４の端部５４ａとフィン３３との位置関係は第３の実施の形態と同様である。また、仕切板５４の端部５４ａの傾斜部分の長さは、短すぎると十分な効果が望めず、長すぎると第１の実施の形態と同様な不具合が生じる場合がある。
【０１４１】
本実施の形態では、第３の実施の形態と同様であり、図２８に示すように短くとも２０ｍｍ程度とし、長さの上限はダクト排気側の流路幅減少が２割以下程度となるようにした。
【０１４２】
（第１３の実施の形態）
図３０は本発明に係る冷却装置およびその冷却装置を備えた画像形成装置の第１３の実施の形態を示す図であり、第１の実施の形態および第１０の実施の形態と同様の構成には同一番号を付して説明を省略する。
【０１４３】
本実施の形態では、図３０に示すように、仕切板５６が放熱フィン３３の回転中心軸に対して回転方向側に位置させたものである。このように構成することにより、第１０、１１実施の形態と同様に、仕切板５６の端部の気流の方向と放熱フィン３３の回転方向とを近づけることができる。このため、図１１のように仕切板４５の放熱フィン３３側の端部で流れが巻き込んで渦を生じ一部逆流して、放熱フィン３３を冷却せずに、排気通路に流れ込んでしまうのを防止することができ、第１１、第１２の実施の形態と同様の効果を得ることができる。
【０１４４】
なお、本実施の形態および第１１、１２の実施形態では、吸気口５２ａおよび排気口５３ａのそれぞれに吸気ファン３４および排気ファン３６を設けているが、設けなくても良く、吸気ファン３４および排気ファン３６の何れか一方を設けても良い。
【０１４５】
（第１４の実施の形態）
図３１は本発明に係る冷却装置およびその冷却装置を備えた画像形成装置の第１４の実施の形態を示す図であり、第１０の実施の形態と同様の構成には同一番号を付して説明を省略する。
【０１４６】
本実施の形態では、奥行きの等しいダクトにおいて、図３１に示すように、吸気通路４２の幅Ａと、放熱フィン３３の周囲のダクト５１の幅Ｂと、排気通路５３の幅Ｃとの関係を、Ｂ／２＞Ａ、かつＢ／２＞Ｃとなるようにしているものであり、特に、吸気通路５２の幅および排気通路５３の幅を放熱フィン３３の半径Ｒ以下に設定している。
【０１４７】
本実施の形態では、図２５に示すように吸気口５２ａから吸気通路５２に吸気された空気は、ダクト５１の形状により流路の幅Ａが放熱フィン３３の半径Ｒ以下になるまで絞られてから放熱フィン３３に到達し、放熱フィン３３に到達後にダクト５１と共に広がり、放熱フィン３３を一周した後に再びダクト５１の形状により排気通路５３の幅Ｃが放熱フィン３３の半径以下に絞られてから排出口５３ａにより排出される。
【０１４８】
このように吸気口５２ａから入ってきた空気はダクト５１によって一旦絞られてから放熱フィン３３に吹き付けると、より放熱フィン３３の隙間に入り込み易くなる。このとき、放熱フィン３３に集中的に空気を吹き付けるためには、ダクト５１の幅は放熱フィン３３の半径Ｒ以下にすることが好ましい。さらに、放熱フィン３３の間に入り込んだ空気は、放熱フィン３３を冷却した後、ダクト５１の形状により絞られて排気口５３ａにより排出される。
【０１４９】
この結果、放熱フィン３３に集中的に空気を吹き付けて放熱フィンを冷却することができるので、ヒートパイプ３２をより一層効率良く冷却することができ、記録紙を十分に冷却することができる。
【０１５０】
また、ヒートパイプ３２の冷却効率をより一層向上することができるので、吸気ファン３４および排気ファン３６を用いた場合に、この吸気ファン３４および排気ファン３６の定格をより一層下げることができ、より一層の省エネおよび騒音低減を図ることができる。
【０１５１】
また、吸気通路５２の幅Ａ、放熱フィン３３の周囲のダクトの幅Ｂおよび排気通路５３の幅Ｃとの関係をＢ／２＞Ａ、かつＢ／２＞Ｃとなるようにして、吸気通路５２および排気通路５３の幅Ａ、Ｃを、放熱フィン３３の周囲のダクトの幅Ｂよりも小さくするようにしたので、冷却装置を小型化することができる。
【０１５２】
（第１５の実施の形態）
図３２は本発明に係る冷却装置およびその冷却装置を備えた画像形成装置の第１５の実施の形態を示す図であり、第１０の実施の形態と同様の構成には同一番号を付して説明を省略する。
【０１５３】
本実施の形態では、図３２に示すように、ダクト５１の外部の吸気口５２ａと排気口５３ａの間に仕切板５７を設けたものである。本実施の形態では、外部側の仕切板５７により排気口５３ａから排気された温風が再び吸気口５２ａから冷却空気として取り込まれてしまうのを防止することができ、放熱フィン３３を効率良く冷却してヒートパイプ３２をより一層効率良く冷却することができる。
【０１５４】
（第１６の実施の形態）
図３３は本発明に係る冷却装置およびその冷却装置を備えた画像形成装置の第１６の実施の形態を示す図であり、第１０の実施の形態と同様の構成には同一番号を付して説明を省略する。
【０１５５】
本実施の形態では、図３３に示すように、吸気口５２ａに吸気ファン３４を設け、吸気通路５２は、吸気口５２ａから放熱フィン３３に向かうに従って徐々に狭くなるように形成されている。また、放熱フィン３３側の幅は放熱フィン３３の半径Ｒ以下に設定されている。
本実施の形態では、放熱フィン３３の半径Ｒ以下に絞られたダクト５１の幅から吸気ファン３４の幅までなだらかに放熱フィン３３の収納部５５を広げることにより、吸気ファン３４が作り出す流速を全て過不足無く放熱フィン３３に導くことができる。
【０１５６】
すなわち、放熱フィン３３の収納部５５のなだらかなスロープによって風を絞り込むことにより、図５０に示すような流速プロファイルの凹みをなくすことができるとともに、ダクト５１の幅を放熱フィン３３の半径Ｒ以下まで絞り込むことにより、吸気通路５２から送られる空気を効率良く冷却に使用することができ、第１０の実施の形態と同様の効果を得ることができる。
【０１５７】
（第１７の実施の形態）
図３４は本発明に係る冷却装置およびその冷却装置を備えた画像形成装置の第１７の実施の形態を示す図であり、第１０の実施の形態と同様の構成には同一番号を付して説明を省略する。
【０１５８】
本実施の形態では、図３４に示すように、排気口５３ａに排気ファン３６を設け、排気通路５３を、放熱フィン３３側から排気口５３ａに向かうに従って徐々に広くなるように形成し、放熱フィン３３側の幅を放熱フィン３３の半径Ｒ以下に設定したものである。
【０１５９】
本実施の形態では、ダクトから排出される空気を排気通路５３で絞り込むことにより、、排気ファン３６に送り込まれる空気を、放熱フィンから集中的に集めているので、放熱フィン３３に集中的に空気を吹き付けて放熱フィン３３を冷却することができ、第１０の実施の形態と同様の効果を得ることができる。
【０１６０】
（第１８の実施の形態）
図３５は本発明に係る冷却装置およびその冷却装置を備えた画像形成装置の第１８の実施の形態を示す図であり、第１０の実施の形態と同様の構成には同一番号を付して説明を省略する。
【０１６１】
本実施の形態では、吸気口５２ａに吸気ファン３４を設け、吸気通路５２は、吸気口５２ａから放熱フィン３３に向かうに従って徐々に狭くなるように形成されている。また、放熱フィン３３側の幅は放熱フィン３３の半径Ｒ以下に設定されている。
【０１６２】
また、排気口５３ａに排気ファン３６を設け、排気通路５３を、放熱フィン３３側から排気口５３ａに向かうに従って徐々に広くなるように形成し、放熱フィン３３側の幅を放熱フィン３３の半径Ｒ以下に設定したものである。
【０１６３】
本実施の形態では、吸気通路５２のなだらかなスロープによって風を絞り込むことにより、図５０の流速プロファイルで示すような凹みをなくすことができるとともに、ダクト５１の幅を放熱フィン３３の半径Ｒ以下まで絞り込むことにより、吸気通路５２から送られる空気を効率良く冷却に使用することができる。
【０１６４】
また、ダクトから排出される空気を排気通路５３で絞り込むことにより、排気ファン３６に送り込まれる空気を、放熱フィンから集中的に集めているので、放熱フィン３３に集中的に空気を吹き付けて放熱フィン３３を冷却することができ、第１０の実施の形態と同様の効果を得ることができる。
（第１９の実施の形態）
図３６は本発明に係る冷却装置およびその冷却装置を備えた画像形成装置の第１９の実施の形態を示す図であり、第１の実施の形態と同様の構成には同一番号を付して説明を省略する。
【０１６５】
本実施の形態では、図３６に示すように、吸気通路６２の断面積Ａと、放熱フィン３３の周囲のダクト６１、すなわち、収納部５５の断面積Ｂと、排気通路６３の断面積Ｃを、Ａ＜ＢまたはＣ＜Ｂの関係になるようにしたものである。
【０１６６】
図３６に基づいてダクト内の断面積を説明する。図３６において、吸気口６２ａ、から放熱フィン３３に至る部分の流路６２の断面積はＡの部分に相当し、放熱フィン３３の収納部５５の流路の断面積はＢに相当し、放熱フィン３３から排気口６３ａに至る流路６３の断面積はＣに相当する。
【０１６７】
本実施の形態では、吸気口６２ａより吸気された空気は吸入通路６２の形状により吸入通路６２の断面積Ａが放熱フィン３３の収納部５５の幅Ｂ以下になるまで絞られてから放熱フィン３３に到達し、放熱フィン３３に到達した後に収納部５５と共に広がるか、また、放熱フィン３３を半周した後に再び排気通路６３の形状により放熱フィン３３の収納部５５の幅Ｂ以下に絞られてから排気口６３ａから排出される。
【０１６８】
このため、放熱フィン３３に集中的に空気を吹き付けて放熱フィン３３を冷却することができるので、ヒートパイプ３２をより一層効率良く冷却することができ、記録紙を十分に冷却することができる。
【０１６９】
また、ヒートパイプ３２の冷却効率をより一層向上することができるので、冷却ファンを用いた場合に、この冷却ファンの定格をより一層下げることができ、より一層の省エネおよび騒音低減を図ることができる。
【０１７０】
また、吸気通路６２の断面積Ａ、放熱フィン３３の収納部５５の断面積Ｂおよび排気通路６３の断面積ＣをＡ＜ＢまたはＣ＜Ｂの関係になるようにして吸気通路６２または排気通路６３を放熱フィン３３の収納部５５の断面積Ｂよりも小さくするようにしたので、冷却装置を小型化することができる。
（第２０の実施の形態）
図３７は本発明に係る冷却装置およびその冷却装置を備えた画像形成装置の第２０の実施の形態を示す図であり、第１９の実施の形態と同様の構成には同一番号を付して説明を省略する。
本実施の形態では、ガイド板６４を設けることにより、吸気通路の断面積を絞り込んだ例を示し、ダクトの形状が第１の実施の形態と異なる。
【０１７１】
図３７において、縦向部２６および横向部２７によって画成されるダクト６１内の吸気口６２ａには吸気ファン３４が設けられており、吸気口６２ａから流入した空気は吸気通路６２から放熱フィン３３に供給される。
【０１７２】
放熱フィン３３を冷却した空気は吸気通路６２の下流側に設けられた排気通路６３を介して排気口６３ａから排気される。本実施の形態では、放熱フィン３３に対して上流側のダクト６１の内面にガイド板６４を設けることにより、吸気通路６２の断面積Ａを絞り込んでいるものである。
【０１７３】
このガイド板６４は吸入空気の流れと放熱フィン３３の回転方向とが逆側において、基端部６４ｂから先端部６４ａが放熱フィン３３の外周部３３ａに向けて斜めに設置されている。ガイド板６４は吸気ファン３４の直下のダクト６４の内壁から放熱フィン３３の外周部３３ａに向かう方向に設置されることが好ましいので、設置の角度と長さは吸気ファン３４と放熱フィン３３の位置関係によって決まる。
【０１７４】
本実施の形態においては、吸気ファン３４と放熱フィン３３の距離ａが２０ｍｍ、ダクト６１の幅ｂが９５ｍｍ、放熱フィン３３の径が６０Φに設定されるとともに、ガイド板６４は４５°の角度、２５ｍｍの長さで設置されている。
【０１７５】
本実施の形態では、図３７には記載の無い定着手段から排紙された記録紙が、排紙時にヒートパイプ３２に摺接することによって冷却され、この際のヒートパイプ３２に伝わった熱は、放熱フィン３３を介してダクト６１内の流動空気によって効率良く冷却されることにより、排気口６３ａから外部に排出される。
【０１７６】
このとき、ガイド板６４によって放熱フィン３３の回転方向と対峙する向きの気流が放熱フィン３３の外周の外側に逸れることなく、放熱フィン３３の間の隙間に入り込むので、放熱フィン３３を効率良く冷却することができる。
【０１７７】
本実施の形態では、ガイド板６４が無いものと比較例と比較すると、放熱フィン３３の強制空冷熱抵抗の値は比較例では０．３０Ｋ／Ｗであるのに対して、０．２２Ｋ／Ｗであった。したがって、本実施の形態の放熱フィン３３の強制空冷熱抵抗は比較例に比べ２５％低下したことになる。
【０１７８】
このように本実施の形態では、放熱フィン３３よりも上流側の吸気通路６２にガイド板６４を設け、このガイド板６４を、吸入空気の流れと放熱フィン３３の回転方向が逆方向となる位置で放熱フィン３３の外周部３３ａに向けて斜めに設置したので、ガイド板６４によって吸入空気を放熱フィン３３の外周部３３ａに誘導することができ、放熱フィン３３の回転方向に拘わらずに放熱フィン３３に集中的に空気を吹き付けて放熱フィン３３を冷却することができる。このため、ヒートパイプ３２をより一層効率良く冷却することができ、記録紙を十分に冷却することができる。
（第２１の実施の形態）
図３８は本発明に係る冷却装置およびその冷却装置を備えた画像形成装置の第２１の実施の形態を示す図であり、第１の実施の形態および第２０の実施の形態と同様の構成には同一番号を付して説明を省略する。
【０１７９】
本実施の形態では、図３８に示すように、第２０の実施例に放熱フィン３３の上流側のダクト６１の内壁にガイド板６５を追加したものであり、このガイド板６５は吸入空気の流れと放熱フィン３３の回転方向とが同じ側において、基端部６５ｂから先端部６５ａが放熱フィン３３の外周部３３ｂに向けて斜めに設置されている。
【０１８０】
この位置にガイド板６５を設けたのは、空気の流れと放熱フィン３３の回転方向とが一致する側においても、空気の一部は放熱フィン３３の隙間に入り込まず外に逃れてしまうのを防ぐためである。
【０１８１】
本実施の形態では、放熱フィン３３よりも上流側の吸気通路６２にガイド板６４と６５を設け、このガイド板６５を、吸入空気の流れと放熱フィン３３の回転方向が同方向となる位置で放熱フィン３３の外周部３３ｂに向けて斜めに設置したので、吸入空気の流れと放熱フィン３３の回転方向が同一の側でも吸入空気が放熱フィン３３の隙間に入り込むようになり、第２０の実施の形態よりも放熱フィン３３を効率良く冷却することができる。本実施の形態では、放熱フィン３３の強制空冷熱抵抗の値は０．３０Ｋ／Ｗであり、比較例に比べ３３％低下させることができた。
【０１８２】
（第２２の実施の形態）
図３９は本発明に係る冷却装置およびその冷却装置を備えた画像形成装置の第２２の実施の形態を示す図であり、第１の実施の形態および第２０の実施の形態と同様の構成には同一番号を付して説明を省略する。
【０１８３】
本実施の形態では、図３９に示すように、放熱フィン３３の直下のダクト６１の内壁にガイド板６６を設けたものであり、このガイド板６６は吸入空気の流れと放熱フィン３３の回転方向とが逆側において、基端部６６ｂから先端部６６ａが放熱フィン３３の下流の外周部３３ｃに向けて斜めに設置されている。
【０１８４】
本実施の形態では、放熱フィン３３よりも下流側のダクト６１の内壁にガイド板６６を設け、このガイド板６６を、吸入空気の流れと放熱フィン３３の回転方向が逆方向となる位置で放熱フィン３３の外周部３３ｃに向けて斜めに設置したので、ガイド板６６によってこの吸入空気の流れを放熱フィン３２の隙間に誘導することができ、放熱フィン３３の冷却効率が高向上させて第２０の実施の形態と同様の効果を得ることができる。
【０１８５】
（第２３の実施の形態）
図４０は本発明に係る冷却装置およびその冷却装置を備えた画像形成装置の第２３の実施の形態を示す図であり、第２０の実施の形態と同様の構成には同一番号を付して説明を省略する。
【０１８６】
図４０は放熱フィン３３を側面から見た図であり、縦向部２６および横向部２７からなるダクト６５（図３４には横向部２７を図示省略）にはヒートパイプ３２を含むユニットを筐体１１の前面方向から引き出すときに、放熱フィン３３が通過するための設置孔（開口部）３０が設けられている。
【０１８７】
本実施の形態では、ダクト６５内の設置孔３０に対して放熱フィン３３の上流側にガイド板６７を設けることにより、放熱フィン３３を冷却すべき気流が放熱フィン３３に衝突して点線で示すように放熱フィン３３の外側に逸れてしまうのを防止することができるとともに設置孔３０から外部に漏出するのを防止することができる。
【０１８８】
すなわち、ガイド板６７が無い場合には、気流は放熱フィン３３に衝突した後、放熱フィン３３と放熱フィン３３フィンの隙間に入り込まずに、外側に逸れて点線で示すように流れて一部が外部に漏出するが、ガイド板６７によってその流れを実線で示すように放熱フィン３３に誘導した放熱フィンの冷却効率を向上させることができる。
【０１８９】
（第２４の実施の形態）
図４１は本発明に係る冷却装置およびその冷却装置を備えた画像形成装置の第２４の実施の形態を示す図であり、第２０の実施の形態と同様の構成には同一番号を付して説明を省略する。
【０１９０】
本実施の形態では、ダクト６５内の設置孔３０に対して放熱フィン３３の上流側のダクト６１の内壁にガイド板６７を設けたものであり、このガイド板６７は基端部６７ｂから先端部６７ａに向かって放熱フィン３３側に斜めに設置されている。
【０１９１】
本実施の形態では、図４１に示すように、ダクト６５内の設置孔３０に対して放熱フィン３３の上流側でかつ、設置孔３０と反対側のダクト６１にガイド板６８を設けたものであり、このガイド板６８は基端部６８ｂから先端部６８ａに向かって放熱フィン３３側に斜めに設置されている。
本実施の形態では、放熱フィン３３を冷却すべき気流が放熱フィン３３に衝突して点線で示すように放熱フィン３３の外側に逸れてしまうのを防止することができる。
【０１９２】
すなわち、ガイド板６８が無い場合には、気流は放熱フィン３３に衝突した後、放熱フィン３３と放熱フィン３３フィンの隙間に入り込まずに、外側に逸れて点線で示すように流れてしまうが、ガイド板６８によってその流れを実線で示すように放熱フィン３３に誘導した放熱フィンの冷却効率を向上させることができる。
【０１９３】
（第２５の実施の形態）
図４２、図４３は本発明に係る冷却装置およびその冷却装置を備えた画像形成装置の第２５の実施の形態を示す図であり、第２０の実施の形態と同様の構成には同一番号を付して説明を省略する。図４２は吸気ファン３４を取り除いてダクト６１を上方から見図である。
【０１９４】
図４２において、ダクト６１の内壁に設けられたガイド板６９の両端部６９ａは、図４３に示すようにその中央部より放熱フィン３３側に突出している。本実施の形態では、この突出した両端部６９ａを有するので、第２０の実施の形態の効果に加えて、ガイド板６９により気流が放熱フィン３３に衝突して外側に逸れるのを防止した気流を放熱フィン３３に誘導することができ、放熱フィン３３に冷却空気を効率良く吹き付けることができる。
【０１９５】
（第２６の実施の形態）
図４４は本発明に係る冷却装置およびその冷却装置を備えた画像形成装置の第２６の実施の形態を示す図であり、第２０の実施の形態と同様の構成には同一番号を付して説明を省略する。
【０１９６】
本実施の形態では、図４４に示すように、放熱フィン３３の上流側のダクト７０の一部をダクト７０の内部に凹ませる（以下、この部分を凹部７１で示す）ことにより、ガイド板を廃止し、ダクト形状によって吸気口６２ａから放熱フィン３３に至る吸気通路７２の断面積Ａ、放熱フィン３３の収納部７１の流路の断面積Ｂ、放熱フィン３３から排気口６３ａに至る排気通路６３の断面積Ｃを、Ａ＜ＢまたはＣ＜Ｂに設定している。
【０１９７】
したがって、第２０の実施の形態と同様に、放熱フィン３３の回転方向と対峙する向きの気流を放熱フィン３３の外周の外側に逸れることなしに放熱フィン３３間の隙間に入り込ませることができ、放熱フィン３３を効率良く冷却することができる。  
（第２７の実施の形態）
図４５、図４６は本発明に係る冷却装置およびその冷却装置を備えた画像形成装置の第２７の実施の形態を示す図であり、第２０の実施の形態と同様の構成には同一番号を付して説明を省略する。
【０１９８】
図４５、図４６において、吸気ファン３４と放熱フィン３３の間には吸気ファン３４から送風される空気を放熱フィン３３に導く複数のガイド板７２が設けられており、このガイド板７２は放熱フィン３３の回転軸に対して略垂直の方向に互いに平行に設けられている。
【０１９９】
ガイド板７２の枚数は、４枚以上が好ましく、適度な枚数はダクト６１の幅によって決定される。本実施の形態ではダクト６１の幅（縦向部２６の間隔および横向部２７の間隔）は９５ｍｍであり、５枚のガイド板７２を設置した。
【０２００】
このような構成により、ガイド板７２によって吸入空気を放熱フィン３３の外周部に誘導することができるので、放熱フィン３３の回転方向に拘わらずに放熱フィン３３に集中的に空気を吹き付けて放熱フィン３３を冷却することができる。このため、ヒートパイプ３２をより一層効率良く冷却することができ、記録紙を十分に冷却することができる。
【０２０１】
なお、ガイド板７２の間隔は平行である必要はないが、少なくとも吸気ファン３４側の間隔を放熱フィン３３側の間隔より広くする必要がある。このようにすれば、ガイド板７２によって吸入空気を放熱フィン３３の外周部に集中させて効率良く誘導することができる。
【０２０２】
（第２８の実施の形態）
図４７は本発明に係る冷却装置およびその冷却装置を備えた画像形成装置の第２８の実施の形態を示す図であり、第２０の実施の形態と同様の構成には同一番号を付して説明を省略する。
【０２０３】
本実施の形態では、図４７に示すように、吸気ファン３４と放熱フィン３３の間には吸気ファン３４から送風される空気を放熱フィン３３に導く５枚のガイド板７３が設けられており、このガイド板７３は放熱フィン３３の回転軸に対して略垂直の方向に互いに平行に設けられている。
【０２０４】
また、ガイド板７３は、両端部に位置するガイド板７３ａが、両端部７３ａを挟んで設けられるガイド板７３ｂよりも長く形成されており、それぞれのガイド板７３ａ、７３ｂは、放熱フィン３３からガイド板７３ａ、７３ｂまでの距離が均一に形成されている。
【０２０５】
このような構成により、両端のガイド板７３ａと放熱フィン３３の間の隙間を小さくすることができるので、放熱フィン３３の回転方向に拘わらずに放熱フィン３３に集中的に空気を吹き付けて放熱フィン３３を冷却することができる。このため、ヒートパイプ３２をより一層効率良く冷却することができ、記録紙を十分に冷却することができる。
【０２０６】
なお、仕切板を傾斜させた実施の形態にあっては、図４８（ａ）に示すように、例えば、仕切板４５の端部４５ａのみを傾斜させているが、これに限らず、図４８（ｂ）に示すように、仕切板１０１の全体を緩やかに傾斜させ、仕切板１０１の端部１０１ａを急激に傾斜させるようにしても良い。
【産業上の利用可能性】
【０２０７】
以上のように、本発明に係る冷却装置および画像形成装置は、ヒートパイプによる冷却効率を増大させることができ、記録媒体を十分に冷却することができるという効果を有し、複写機、ファクシミリ装置、プリンタ装置、ファクシミリ機能と複写機能を有する複合機等の画像形成装置に設けられた定着装置によって加熱された記録媒体を冷却する冷却装置およびその冷却装置を備えた画像形成装置等として有用である。
【図面の簡単な説明】
【０２０８】
【図１】本発明の第１の実施の形態に係る冷却装置を備えた画像形成装置の全体構成図である。
【図２】第１の実施の形態に係る筐体にダクト室が組付けられた状態の前方側斜視図である。
【図３】第１の実施の形態に係る筐体にダクト室が組付けられた状態の後方側斜視図である。
【図４】第１の実施の形態に係るダクトの斜視図である。
【図５】第１の実施の形態に係るダクトのヒートパイプとファンの位置関係を示す図である。
【図６】（ａ）は第１の実施の形態に係るヒートパイプおよび放熱フィンの側面図、（ｂ）は同図（ａ）の正面図である。
【図７】第１の実施の形態に係るダクトの要部断面図である。
【図８】第１の実施の形態に係る放熱フィンの回転方向と空気の流れを説明する図である。
【図９】第１の実施の形態と比較するための従来のダクトの要部断面図である。
【図１０】第１の実施の形態に係るダクトの他の構成の要部断面図である。
【図１１】第１の実施の形態に係る仕切板の端部で流れに回り込みが生じた状態を示す図である。
【図１２】第１の実施の形態の放熱フィンと仕切板の距離を示す図である。
【図１３】本発明の第２の実施の形態に係るダクトの要部断面図である。
【図１４】本発明の第２の実施の形態に係る放熱フィンと仕切板の位置関係を示す図である。
【図１５】本発明の第３の実施の形態に係るダクトの要部断面図である。
【図１６】本発明の第３の実施の形態に係るダクトの他の形状の要部断面図である。
【図１７】本発明の第３の実施の形態に係る放熱フィンと仕切板の位置関係を示す図である。
【図１８】本発明の第４の実施の形態に係るダクトの要部断面図である。
【図１９】本発明の第４の実施の形態に係る放熱フィンと仕切板の位置関係を示す図である。
【図２０】本発明の第５の実施の形態に係るダクトの要部断面図である。
【図２１】本発明の第６の実施の形態に係るダクトの要部断面図である。
【図２２】本発明の第７の実施の形態に係るダクトの要部断面図である。
【図２３】本発明の第８の実施の形態に係るダクトの要部断面図である。
【図２４】本発明の第９の実施の形態に係るダクトの要部断面図である。
【図２５】本発明の第１０の実施の形態に係るダクトの要部断面図である。
【図２６】本発明の第１０の実施の形態に係る他の構成のダクトの要部断面図である。
【図２７】本発明の第１１の実施の形態に係るダクトの要部断面図である。
【図２８】本発明の第１１の実施の形態に係る放熱フィンと仕切板の位置関係を示す図である。
【図２９】本発明の第１２の実施の形態に係るダクトの要部断面図である。
【図３０】本発明の第１３の実施の形態に係るダクトの要部断面図である。
【図３１】本発明の第１４の実施の形態に係るダクトの要部断面図である。
【図３２】本発明の第１５の実施の形態に係るダクトの要部断面図である。
【図３３】本発明の第１６の実施の形態に係るダクトの要部断面図である。
【図３４】本発明の第１７の実施の形態に係るダクトの要部断面図である。
【図３５】本発明の第１８の実施の形態に係るダクトの要部断面図である。
【図３６】本発明の第１９の実施の形態に係るダクトの要部断面図である。
【図３７】本発明の第２０の実施の形態に係るダクトの要部断面図である。
【図３８】本発明の第２１の実施の形態に係るダクトの要部断面図である。
【図３９】本発明の第２２の実施の形態に係るダクトの要部断面図である。
【図４０】本発明の第２３の実施の形態に係るダクトの要部断面図である。
【図４１】本発明の第２４の実施の形態に係るダクトの要部断面図である。
【図４２】本発明の第２５の実施の形態に係るダクトの要部断面図である。
【図４３】本発明の第２５の実施の形態に係るダクトの要部断面図である。
【図４４】本発明の第２６の実施の形態に係るガイド板の斜視図である。
【図４５】本発明の第２７の実施の形態に係るダクトの要部断面図である。
【図４６】本発明の第２７の実施の形態に係るダクトの要部断面図である。
【図４７】本発明の第２８の実施の形態に係るダクトの斜視図である。
【図４８】（ａ）は仕切板が傾斜している実施の形態の仕切板を示す図、（ｂ）は仕切板の他の傾斜形状を示す図である。
【図４９】従来のダクトの流入空気の流れを示す図である。
【図５０】流速プロファイルを示す図である。
【符号の説明】
【０２０９】
１３  スキャナ手段（画像形成手段）
１４  現像手段（画像形成手段）
１５  感光体（画像形成手段）
１６  転写手段（画像形成手段）
１７  トナー定着手段（画像形成手段）
２４、５１、６１、７１  ダクト
３２  ヒートパイプ
３３  放熱フィン
３９、４０、４５、４６、４７、５４、５６、５７、１０１  仕切板
４１、４２、５２、６２  吸気通路
４１ａ、４２ａ、５２ａ、６２ａ  吸気口
４３、４４、５３、６３  排気通路
４１ａ、４２ａ、５２ａ、６２ａ  吸気口
４３ａ、４４ａ、５３ａ、６３ａ  排気口
５５  収納部
６４、６５、６６、６７、６８、６９、７２  ガイド板
【図１】
2007041541.tif 000003
【図２】
2007041541.tif 000004
【図３】
2007041541.tif 000005
【図４】
2007041541.tif 000006
【図５】
2007041541.tif 000007
【図６】
2007041541.tif 000008
【図７】
2007041541.tif 000009
【図８】
2007041541.tif 000010
【図９】
2007041541.tif 000011
【図１０】
2007041541.tif 000012
【図１１】
2007041541.tif 000013
【図１２】
2007041541.tif 000014
【図１３】
2007041541.tif 000015
【図１４】
2007041541.tif 000016
【図１５】
2007041541.tif 000017
【図１６】
2007041541.tif 000018
【図１７】
2007041541.tif 000019
【図１８】
2007041541.tif 000020
【図１９】
2007041541.tif 000021
【図２０】
2007041541.tif 000022
【図２１】
2007041541.tif 000023
【図２２】
2007041541.tif 000024
【図２３】
2007041541.tif 000025
【図２４】
2007041541.tif 000026
【図２５】
2007041541.tif 000027
【図２６】
2007041541.tif 000028
【図２７】
2007041541.tif 000029
【図２８】
2007041541.tif 000030
【図２９】
2007041541.tif 000031
【図３０】
2007041541.tif 000032
【図３１】
2007041541.tif 000033
【図３２】
2007041541.tif 000034
【図３３】
2007041541.tif 000035
【図３４】
2007041541.tif 000036
【図３５】
2007041541.tif 000037
【図３６】
2007041541.tif 000038
【図３７】
2007041541.tif 000039
【図３８】
2007041541.tif 000040
【図３９】
2007041541.tif 000041
【図４０】
2007041541.tif 000042
【図４１】
2007041541.tif 000043
【図４２】
2007041541.tif 000044
【図４３】
2007041541.tif 000045
【図４４】
2007041541.tif 000046
【図４５】
2007041541.tif 000047
【図４６】
2007041541.tif 000048
【図４７】
2007041541.tif 000049
【図４８】
2007041541.tif 000050
【図４９】
2007041541.tif 000051
【図５０】
2007041541.tif 000052